(57)【要約】  【課題】  電話機等の電子機器に接続された線径の異なる通信ケーブルを固定するのに最適な通信ケーブルの固定装置を提供する。  【解決手段】  上面壁８ｂと上面壁８ｂに連続する前面壁８ｄとを有する固定部材８と、上面壁８ｂ及び前面壁８ｄにそれぞれ切り欠き形成されたケーブル固定部８ｅ，８ｆとを備え、ケーブル固定部８ｅ，８ｆの少なくとも１個に、線径の太い通信ケーブル６を挟着固定する幅広の挟着部８ｇと、線径の細い通信ケーブル６を挟着固定する幅狭な挟着部８ｈとを形成したもので、線径に応じて幅広の挟着部８ｇと幅狭な挟着部８ｈに通信ケーブル６を選択的に固定することができるため、径の異なる複数の通信ケーブル６であっても確実に固定することができる。【選択図】  図２
2005236869.tif 000002
【特許請求の範囲】
【請求項１】
上面壁と前記上面壁に連続する前面壁とを有する固定部材と、前記上面壁及び前記前面壁にそれぞれ切り欠き形成されたケーブル固定部とを備え、前記ケーブル固定部の少なくとも１個に、線径の太い通信ケーブルを挟着固定する幅広の挟着部と、線径の細い通信ケーブルを挟着固定する幅狭な挟着部とを形成したことを特徴とする通信ケーブル固定装置。
【請求項２】
上面壁と前記上面壁に連続する前面壁及び側面壁とを有する固定部材と、前記上面壁と前記前面壁にそれぞれ切り欠き形成されたケーブル固定部及び前記側面壁に切り欠き形成された切り欠き部とを備え、前記ケーブル固定部の少なくとも１個に、線径の太い通信ケーブルを挟着固定する幅広の挟着部と、線径の細い通信ケーブルを挟着固定する幅狭な挟着部とを形成したことを特徴とする通信ケーブル固定装置。
【請求項３】
上面壁と前記上面壁に連続する前面壁及び側面壁とを有する固定部材と、前記上面壁と前記前面壁にそれぞれ切り欠き形成されたケーブル固定部及び前記側面壁に切り欠き形成された切り欠き部と、前記固定部材を電子機器や電話機等に設けられたモジュラージャックの近傍に固定する固定手段とを備え、前記ケーブル固定部の少なくとも１個に、線径の太い通信ケーブルを挟着固定する幅広の挟着部と、線径の細い通信ケーブルを挟着固定する幅狭な挟着部とを形成したことを特徴とする通信ケーブル固定装置。
【請求項４】
前記幅広な挟着部に挟着固定された前記通信ケーブル及び前記幅狭な挟着部に挟着固定された前記通信ケーブルの少なくとも一方を、前記側面壁に形成された切り欠き部より側方へ導出してなる請求項２または３に記載の通信ケーブル固定装置。
【請求項５】
通信ケーブルを接続するモジュラージャックを有する電話機本体と、前記モジュラージャックに接続された前記通信ケーブルを前記モジュラージャックの近傍に固定する通信ケーブル固定装置とを備えたＩＰ電話機であって、前記通信ケーブル固定装置を、上面壁と前記上面壁に連続する前面壁とを有する固定部材と、前記上面壁及び前記前面壁にそれぞれ切り欠き形成されたケーブル固定部とを備え、前記ケーブル固定部の少なくとも１個に、線径の太い通信ケーブルを挟着固定する幅広の挟着部と、線径の細い通信ケーブルを挟着固定する幅狭な挟着部とを形成したことを特徴とするＩＰ電話機。
【請求項６】
通信ケーブルを接続するモジュラージャックを有する電話機本体と、前記モジュラージャックに接続された前記通信ケーブルを前記モジュラージャックの近傍に固定する通信ケーブル固定装置を備えたＩＰ電話機であって、前記通信ケーブル固定装置を、上面壁と前記上面壁に連続する前面壁及び側面壁とを有する固定部材と、前記上面壁と前記前面壁にそれぞれ切り欠き形成されたケーブル固定部及び前記側面壁に切り欠き形成された切り欠き部とを備え、前記ケーブル固定部の少なくとも１個に、線径の太い通信ケーブルを挟着固定する幅広の挟着部と、線径の細い通信ケーブルを挟着固定する幅狭な挟着部とを形成したことを特徴とするＩＰ電話機。
【請求項７】
通信ケーブルを接続するモジュラージャックを有する電話機本体と、前記モジュラージャックに接続された前記通信ケーブルを前記モジュラージャックの近傍に固定する通信ケーブル固定装置を備えたＩＰ電話機であって、前記通信ケーブル固定装置を、上面壁と前記上面壁に連続する前面壁及び側面壁とを有する固定部材と、前記上面壁と前記前面壁にそれぞれ切り欠き形成されたケーブル固定部及び前記側面壁に切り欠き形成された切り欠き部と、前記固定部材を前記電話機本体を支持する台座に固定する固定手段とを備え、前記ケーブル固定部の少なくとも１個に、線径の太い通信ケーブルを挟着固定する幅広の挟着部と、線径の細い通信ケーブルを挟着固定する幅狭な挟着部とを形成したことを特徴とするＩＰ電話機。
【請求項８】
前記幅広な挟着部に挟着固定された前記通信ケーブル及び前記幅狭な挟着部に挟着固定された前記通信ケーブルの少なくとも一方を、前記側面壁に形成された切り欠き部より前記電話機本体の側方へ導出してなる請求項６または７に記載のＩＰ電話機。
【発明の詳細な説明】
【技術分野】
【０００１】
本発明は、ＩＰ電話機や電子機器等に接続された通信ケーブルを固定する通信ケーブル固定装置及び通信ケーブル固定装置を有するＩＰ電話機に関する。
【背景技術】
【０００２】
近年インターネットを利用したパーソナルコンピュータ（パソコン）等の電子機器の普及に伴い、ＩＰネットワークを経由して音声の相互通信が可能なＩＰ（Ｉｎｔｅｒｎｅｔ  Ｐｒｏｔｏｃｏｌ）電話機の普及も進んでいる。
【０００３】
前記ＩＰ電話機は、図６に示すように電話機本体２１の後面に、通信ケーブル２２を接続するモジュラージャック２３が設けられていて、このモジュラージャック２３にＬＡＮケーブル等の通信ケーブル２２を接続することにより、電話機本体２１をＩＰネットワークに接続できるようになっているが、ＬＡＮケーブル等の通信ケーブル２２は、通常の電話回線に使用されている通信ケーブルに比べて芯線数が多いことから、ケーブル径が太い上、柔軟性に欠ける。
【０００４】
このため通信ケーブル２２を接続した電話機本体２１を手で持って移動したり、電話機本体２１の位置を変えたりした場合、通信ケーブル２２を接続したモジュラージャック２３に大きな引張り力や曲げ力が加わって、モジュラージャック２３が接触不良を起したり、モジュラージャック２３が破損することがある。
【０００５】
かかる不具合を防止するため例えば特許文献１で、ＬＡＮケーブルを筐体に接続した際の断線や接触不良を防止するケーブル固定構造が提案されている。
【０００６】
前記特許文献１に記載されたケーブル固定構造は、電話機の筐体の脚部に、ＬＡＮケーブルを導出する溝部を有するケーブル固定部を設けると共に、前記溝部をケーブルの最小許容曲率半径以上の半径よりなる曲面により形成したもので、溝部にはケーブルを保持する引掛け部が設けられた構造となっている。
【特許文献１】特開２００１−８５８６９号公報
【発明の開示】
【発明が解決しようとする課題】
【０００７】
しかし前記特許文献に記載されたケーブル固定構造のように、ケーブルの最小許容曲率半径より大きい半径を有する溝部を脚部に形成するためには、電話機本体の底部に高さの高い脚部を突設しなければならないため、操作ボタン等が設けられた操作パネルの角度が大きくなって操作しづらくなったり、電話機全体の外観が悪くなる等の問題がある。
【０００８】
また脚部の溝内にケーブルを嵌装しても、ケーブルに過大な引張り力が作用した場合、過大な引張り力はモジュラージャックにも加わるため、モジュラージャックが接触不良を起したり、破損するのを確実に防止することができない等の問題がある。
【０００９】
さらに前記特許文献１のように電話機本体の底部にモジュラージャックを設けたものでは、ケーブルを脱着する場合、その都度電話機本体を裏返しにしてケーブルを脱着する必要があるため操作性がよくない上、モジュラージャックが電話機本体の下に隠れていて見えにくいため、ケーブルがモジュラージャックより外れそうになっていたり、外れていても、発見しにくい等の問題もある。
【００１０】
本発明はかかる問題を改善するためになされたもので、通信ケ−ブルに加わる引張り力や曲げ力を確実に支持することができる通信ケーブル固定装置及び通信ケーブル固定装置を有するＩＰ電話機を提供することを目的とするものである。
【課題を解決するための手段】
【００１１】
本発明の通信ケーブル固定装置は、上面壁と上面壁に連続する前面壁とを有する固定部材と、上面壁及び前面壁にそれぞれ切り欠き形成されたケーブル固定部とを備え、ケーブル固定部の少なくとも１個に、線径の太い通信ケーブルを挟着固定する幅広の挟着部と、線径の細い通信ケーブルを挟着固定する幅狭な挟着部とを形成したものである。
【００１２】
前記構成により、線径の異なる通信ケーブルであっても、線径に応じて幅広の挟着部と幅狭な挟着部に通信ケーブルを選択的に固定することができるため、ＬＡＮケーブルのように径の異なる複数の通信ケーブルが接続されているＩＰ電話機や電子機器であっても、通信ケーブルに作用する過大な引張り力や曲げ力を固定部材により確実に支持することができるようになり、これによって通信ケーブルが接続されたモジュラージャックが接触不良を起こしたり、破損するのを未然に防止することができる。
【００１３】
また固定部材に幅広の挟着部と幅狭な挟着部とからなるケーブル固定部を固定部材に設けた簡単な構成のため、樹脂の一体成形等により容易に量産することができることから、安価に提供できる。
【００１４】
本発明の通信ケーブル固定装置は、上面壁と上面壁に連続する前面壁及び側面壁とを有する固定部材と、上面壁と前面壁にそれぞれ切り欠き形成されたケーブル固定部及び側面壁に切り欠き形成された切り欠き部とを備え、ケーブル固定部の少なくとも１個に、線径の太い通信ケーブルを挟着固定する幅広の挟着部と、線径の細い通信ケーブルを挟着固定する幅狭な挟着部とを形成したものである。
【００１５】
前記構成により、線径の異なる通信ケーブルであっても、線径に応じて幅広の挟着部と幅狭な挟着部に通信ケーブルを選択的に固定することができるため、ＬＡＮケーブルのように径の異なる複数の通信ケーブルが接続されているＩＰ電話機や電子機器であっても、通信ケーブルに作用する過大な引張り力や曲げ力を固定部材により確実に支持することができ、これによって通信ケーブルが接続されたモジュラージャックが接触不良を起こしたり、破損するのを未然に防止することができる。
【００１６】
また固定部材に幅広の挟着部と幅狭な挟着部とからなるケーブル固定部を設けた簡単な構成のため、樹脂の一体成形等により容易に量産することができることから、安価に提供できる。
【００１７】
本発明の通信ケーブル固定装置は、上面壁と上面壁に連続する前面壁及び側面壁とを有する固定部材と、上面壁と前面壁にそれぞれ切り欠き形成されたケーブル固定部及び側面壁に切り欠き形成された切り欠き部と、固定部材を電子機器や電話機等に設けられたモジュラージャックの近傍に固定する固定手段とを備え、ケーブル固定部の少なくとも１個に、線径の太い通信ケーブルを挟着固定する幅広の挟着部と、線径の細い通信ケーブルを挟着固定する幅狭な挟着部とを形成したものである。
【００１８】
前記構成により、線径の異なる通信ケーブルであっても、線径に応じて幅広の挟着部と幅狭な挟着部に通信ケーブルを選択的に固定することができるため、ＬＡＮケーブルのように径の異なる複数の通信ケーブルが接続されているＩＰ電話機や電子機器であっても、通信ケーブルに作用する過大な引張り力や曲げ力を固定部材により確実に支持することができ、これによって通信ケーブルが接続されたモジュラージャックが接触不良を起こしたり、破損するのを未然に防止することができる。
【００１９】
また固定部材に幅広の挟着部と幅狭な挟着部とからなるケーブル固定部を設けた簡単な構成のため、樹脂の一体成形等により容易に量産することができることから、安価に提供できる。
【００２０】
本発明の通信ケーブル固定装置は、幅広な挟着部に挟着固定された通信ケーブル及び幅狭な挟着部に挟着固定された通信ケーブルの少なくとも一方を、側面壁に形成された切り欠き部より側方へ導出したものである。
【００２１】
前記構成により、通信ケーブルの接続方向の自由度が増すため、ＩＰ電話機や電子機器の設置場所に制限を受けることが少なくなる。
【００２２】
本発明のＩＰ電話機は、通信ケーブルを接続するモジュラージャックを有する電話機本体と、モジュラージャックに接続された通信ケーブルをモジュラージャックの近傍に固定する通信ケーブル固定装置とを備えたＩＰ電話機であって、通信ケーブル固定装置を、上面壁と上面壁に連続する前面壁とを有する固定部材と、上面壁及び前面壁にそれぞれ切り欠き形成されたケーブル固定部とを備え、ケーブル固定部の少なくとも１個に、線径の太い通信ケーブルを挟着固定する幅広の挟着部と、線径の細い通信ケーブルを挟着固定する幅狭な挟着部とを形成したものである。
【００２３】
前記構成により、電話機本体に接続された通信ケーブルが線径の異なる複数のＬＡＮケーブル等であっても、線径に応じて幅広の挟着部と幅狭な挟着部に通信ケーブルを選択的に固定することができるため、ＩＰ電話機の使用中に通信ケーブルに過大な引張り力や曲げ力が作用しても、固定部材により過大な引張り力や曲げ力を確実に支持することができ、これによって通信ケーブルが接続された電話機本体のモジュラージャックが接触不良を起こしたり、破損するのを未然に防止することができる。
【００２４】
また電話機本体の底面に通信ケーブルを収容する溝を有する脚部を設ける必要がないため、ＩＰ電話機の意匠的な外観が向上すると共に、電話機本体の後面等の見やすい位置にモジュラージャックを設けることにより、通信ケーブルを脱着する際電話機本体をその都度裏返しにする必要がないため、通信ケーブルの脱着作業が容易となる上、通信ケーブルがモジュラージャックより外れそうになっていたり、外れていた場合すぐに気付くため、故障と誤認する虞も少ない。
【００２５】
本発明のＩＰ電話機は、通信ケーブルを接続するモジュラージャックを有する電話機本体と、モジュラージャックに接続された通信ケーブルをモジュラージャックの近傍に固定する通信ケーブル固定装置を備えたＩＰ電話機であって、通信ケーブル固定装置を、上面壁と上面壁に連続する前面壁及び側面壁とを有する固定部材と、上面壁と前面壁にそれぞれ切り欠き形成されたケーブル固定部及び側面壁に切り欠き形成された切り欠き部とを備え、ケーブル固定部の少なくとも１個に、線径の太い通信ケーブルを挟着固定する幅広の挟着部と、線径の細い通信ケーブルを挟着固定する幅狭な挟着部とを形成したものである。
【００２６】
前記構成により、電話機本体に接続された通信ケーブルが線径の異なる複数のＬＡＮケーブル等であっても、線径に応じて幅広の挟着部と幅狭な挟着部に通信ケーブルを選択的に固定することができるため、ＩＰ電話機の使用中に通信ケーブルに過大な引張り力や曲げ力が作用しても、固定部材により過大な引張り力や曲げ力を確実に支持することができ、これによって通信ケーブルが接続された電話機本体のモジュラージャックが接触不良を起こしたり、破損するのを未然に防止することができる。
【００２７】
また電話機本体の底面に通信ケーブルを収容する溝を有する脚部を設ける必要がないため、ＩＰ電話機の意匠的な外観が向上すると共に、電話機本体の後面等の見やすい位置にモジュラージャックを設けることにより、通信ケーブルを脱着する際電話機本体をその都度裏返しにする必要がないため、通信ケーブルの脱着作業が容易となる上、通信ケーブルがモジュラージャックより外れそうになっていたり、外れていた場合すぐに気付くため、故障と誤認する虞も少ない。
【００２８】
本発明のＩＰ電話機は、通信ケーブルを接続するモジュラージャックを有する電話機本体と、モジュラージャックに接続された通信ケーブルをモジュラージャックの近傍に固定する通信ケーブル固定装置を備えたＩＰ電話機であって、通信ケーブル固定装置を、上面壁と上面壁に連続する前面壁及び側面壁とを有する固定部材と、上面壁と前面壁にそれぞれ切り欠き形成されたケーブル固定部及び側面壁に切り欠き形成された切り欠き部と、固定部材を電話機本体を支持する台座に固定する固定手段とを備え、ケーブル固定部の少なくとも１個に、線径の太い通信ケーブルを挟着固定する幅広の挟着部と、線径の細い通信ケーブルを挟着固定する幅狭な挟着部とを形成したものである。
【００２９】
前記構成により、電話機本体に接続された通信ケーブルが線径の異なる複数のケーブルでＬＡＮケーブルであっても、線径に応じて幅広の挟着部と幅狭な挟着部に通信ケーブルを選択的に固定することができるため、ＩＰ電話機の使用中に通信ケーブルに過大な引張り力や曲げ力が作用しても、固定部材により過大な引張り力や曲げ力を確実に支持することができ、これによって通信ケーブルが接続された電話機本体のモジュラージャックが接触不良を起こしたり、破損するのを未然に防止することができる。
【００３０】
また電話機本体の底面に通信ケーブルを収容する溝を有する脚部を設ける必要がないため、ＩＰ電話機の意匠的な外観が向上すると共に、電話機本体の後面等の見やすい位置にモジュラージャックを設けることにより、通信ケーブルを脱着する際電話機本体をその都度裏返しにする必要がないため、通信ケーブルの脱着作業が容易となる上、通信ケーブルがモジュラージャックより外れそうになっていたり、外れていた場合すぐに気付くため、故障と誤認する虞も少ない。
【００３１】
本発明のＩＰ電話機は、幅広な挟着部に挟着固定された通信ケーブル及び幅狭な挟着部に挟着固定された通信ケーブルのすくなくとも一方を、側面壁に形成された切り欠き部より電話機本体の側方へ導出したものである。
【００３２】
前記構成により、通信ケーブルの接続方向の自由度が増すため、ＩＰ電話機の設置場所に制限を受けることが少なくなる。
【発明の効果】
【００３３】
本発明の通信ケーブル固定装置によれば、通信ケーブルに作用する過大な引張り力や曲げ力を固定部材により確実に支持することができ、これによって通信ケーブルが接続されたモジュラージャックが接触不良を起こしたり、破損するのを未然に防止することができる。
【発明を実施するための最良の形態】
【００３４】
本発明の実施の形態を、図面を参照して詳述する。
【００３５】
図１は通信ケーブル固定装置が設けられたＩＰ電話機の斜視図、図２は通信ケーブル固定装置の上面側の斜視図、図３は同下面側の斜視図、図４及び図５は通信ケーブル固定装置の使用状態の作用説明図である。
【００３６】
図１に示すＩＰ電話機は、電話機本体１の上面に、テンキーや機能キー等の操作ボタン群２が設けられた操作パネル１ａと、ハンドセット３を載置するハンドセット載置部１ｂとを有しており、ハンドセット３と電話機本体１の間は、図示しないカールコードにより接続されている。
【００３７】
電話機本体１の下側には、電話機本体１を支持する台座４が設けられている。
【００３８】
台座４は枠状の台板４ａを有していて、この台板４ａの前端側上面に電話機本体１の前端側底面が回動自在に支持されており、電話機本体１の後端側底面は、角度調整部材４ｂの先端部により支持されている。
【００３９】
角度調整部材４ｂは、基端部側が台板４ａに図示しないピンにより枢着されていて、ピンを中心に先端側を上下方向へ回動し、電話機本体１の底面の支持位置を変えることにより、電話機本体１の上面に設けられた操作パネル１ａの角度を操作しやすい角度に調整できるようになっている。
【００４０】
電話機本体１の後面には、複数、例えば２個のモジュラージャック５が設けられていて、これらモジュラージャック５に、ＬＡＮケーブル等の複数の通信ケーブル６の端部に設けられたプラグ７が挿脱自在に嵌合されている。
【００４１】
通信ケーブル６は、電話機本体１とパソコンやルータ等の電子機器（図示せず）、または予め屋内外に配線されたＬＡＮ回線を接続するもので、表面が樹脂により被覆された多芯ケーブルよりなり、各通信ケーブル６の端部側は、プラグ７との間に多少の余長が生じるようにして、通信ケーブル固定装置を構成する固定部材８により台座４の台板４ａの例えば後端部に固定されている。
【００４２】
固定部材８は、樹脂により一体成形されていて、図２及び図３に示すように、角部が斜めに切除された側面ほぼＬ字形となっており、両側壁８ａの間が上面壁８ｂと斜面壁８ｃ及び前面壁８ｄより連設された構造で、上面壁８ｂと前面壁８ｄに、複数例えば２個のケーブル固定部８ｅ，８ｆが形成されている。
【００４３】
ケーブル固定部８ｅ，８ｆは、電話機本体１に接続された通信ケーブル６を挟着固定するもので、固定部材８の上面壁８ｂに形成されたケーブル固定部８ｅは、通信ケーブル６の径に応じて固定できるように、ほぼＵ字形に形成された幅広の挟着部８ｇと、幅狭な挟着部８ｈが連続したほぼ凸字形状となっていて、幅広の挟着部８ｇに線径の太い通信ケーブル６が固定できるようになっており、幅狭な挟着部８ｈに線径の細い通信ケーブル６が固定できるようになっている。
【００４４】
固定部材８の前面壁８ｄに形成されたケーブル固定部８ｆは、上面壁８ｂに形成されたケーブル固定部８ｅの幅広な挟着部８ｇとほぼ同じ幅のＵ字形挟着部８ｉにより形成されており、上面壁８ｂ側に形成されたケーブル固定部８ｅの間には、角筒状の補強部８ｊが固定部材８と一体に形成されている。
【００４５】
前面壁８ｄに形成されたケーブル固定部８ｆの間には、図３に示すように角筒状補強部８ｊの両側面に連続する２枚の補強リブ８ｋが固定部材８と一体に形成されていて、これら補強リブ８ｋより固定部材８を台座４に取り付ける一対の取り付け爪８ｍよりなる固定手段が角筒状補強部８ｊと平行するよう突設されている。
【００４６】
各取り付け爪８ｍは図３に示すように先端側がほぼ鉤状となっていて、互に接離方向に弾性を有しており、台座４の台板４ａ後面に形成された取り付け孔（図示せず）に係脱自在に嵌合できるようになっている。
【００４７】
また各取り付け爪８ｍの外側面には、固定部材８の挿脱方向にガイド突条８ｎが、そして取り付け爪８ｍの下方には、各取り付け爪８ｍの間に位置してガイド突起８Ｐがそれぞれ突設されており、これらガイド突条８ｎ及びガイド突起８Ｐが台板４ａの取り付け孔に形成された図示しないガイド溝にガイドされて、固定部材８の抜き差しが容易に行えるるようになっていると共に、固定部材８の両側壁８ａには、通信ケーブル６を固定部材８の横方向へ導出する際通信ケーブル６を挿通する切り欠き部８ｑが形成されている。
【００４８】
次に前記構成された通信ケーブル固定装置の作用を、図４及び図５を参照して説明する。
【００４９】
電話機本体１がＩＰ電話機の場合は、電話機本体１とパソコン等の電子機器や、予め屋内外に配線されたＩＰネットワーク回線等にＬＡＮケーブル等の通信ケーブル６により接続して使用するが、通信ケーブル６には、芯線の数や径により外径が図４に示すように異なり、また線径が太いほど曲げ剛性が増すため曲がりにくくなる。
【００５０】
これらの通信ケーブル６を固定するに当っては、各通信ケーブル６の端部に設けられたプラグ７を、電話機本体１の後面に設けられたモジュラージャック５に嵌合したら、固定部材８の上面壁８ｂと前面壁８ｄに形成されたケーブル固定部８ｅ，８ｆに各通信ケーブル６の端部側を図４に示すように嵌挿する。
【００５１】
このとき通信ケーブル６を固定した際、モジュラージャック５に嵌合されたプラグ７との間に多少余長が生じるように通信ケーブル６に固定部材８を取り付ける。
【００５２】
また線径の太い通信ケーブル６は、上面壁８ｂに形成されたケーブル固定部８ｅの幅広な挟着部８ｇへ圧入して、挟着部８ｇにより通信ケーブル６の外周面を挟着固定し、線径の細い通信ケーブル６は、ケーブル固定部８ｅの幅狭な挟着部８ｈに圧入して、挟着部８ｈにより通信ケーブル６の外周面を挟着固定する。
【００５３】
以上のようにして複数の通信ケーブル６に固定部材８を取り付けたら、取り付け爪８ｍよりなる固定手段を台座４の台板４ａに形成された取り付け孔に挿入して、先端部の鉤状部を取り付け孔に係止することにより、固定部材８を図４に示すように台板４ａに固定する。
【００５４】
この状態で電話機本体１を手で持って移動したり、電話機本体１の位置を変えた際に通信ケーブル６の過大な引張り力や曲げ力が作用しても、通信ケーブル６を台座４の台板４ａに固定している固定部材８が過大な引張り力や曲げ力を支持するため、モジュラージャック５に過大な引張り力や曲げ力が直接作用することがない。
【００５５】
これによってモジュラージャック５とプラグ７の接触部に接触不良が発生したり、モジュラージャック５やプラグ７が破損するのを未然に防止できるようになる。
【００５６】
また電話機本体１の底面に通信ケーブル６を収容する溝を有する脚部を設ける必要がないため、ＩＰ電話機の意匠的な外観が向上すると共に、電話機本体１の後面等の見やすい位置にモジュラージャック５を設けることにより、通信ケーブル６を脱着する際電話機本体１をその都度裏返しにする必要がないため、通信ケーブル６の脱着作業が容易となる上、通信ケーブル６がモジュラージャック５より外れそうになっていたり、外れていた場合すぐに気付くため、故障と誤認する虞も少ない。
【００５７】
なお前記通信ケーブル６の一方もしくは両方を電話機本体１の側方へ導出したい場合は、図５に示すように固定部材８の側面壁８ａに形成した切り欠き部８ｑに通信ケーブル６を挿通すればよく、通信ケーブル６の接続方向の自由度が増すため、ＩＰ電話機や電子機器の設置場所に制限を受けることが少なくなる。
【００５８】
また前記実施の形態では、固定部材８の上面壁８ｂに形成された２個のケーブル固定部８ｅにそれぞれ幅広の挟着部８ｇと幅狭な挟着部８ｈを形成したが、何れか一方にのみ幅広な挟着部８ｇと幅狭な挟着部８ｈを形成してもよく、前面壁８ｄに形成されたケーブル固定部８ｆにも幅広な挟着部８ｇと幅狭な挟着部８ｈを形成してもよい。
【００５９】
さらに前記実施の形態では、通信ケーブル６をＩＰ電話機に固定する場合について説明したが、通常の電話機や、パソコン等の電子機器に固定する場合も同様に使用することができる。
【産業上の利用可能性】
【００６０】
本発明の通信ケーブル固定装置は、通信ケーブルに作用する過大な引張り力や曲げ力を固定部材により確実に支持することができ、これによって通信ケーブルが接続されたモジュラージャックが接触不良を起こしたり、破損するのを未然に防止することができるため、電話機等の電子機器に接続された通信ケーブルの固定装置に好適である。
【図面の簡単な説明】
【００６１】
【図１】本発明の実施の形態になる通信ケーブル固定装置が設けられたＩＰ電話機の斜視図
【図２】本発明の実施の形態になる通信ケーブル固定装置の上面側の斜視図
【図３】本発明の実施の形態になる通信ケーブル固定装置の下面側の斜視図
【図４】本発明の実施の形態になる通信ケーブル固定装置の使用状態の作用説明図
【図５】本発明の実施の形態になる通信ケーブル固定装置の使用状態の作用説明図
【図６】従来のＩＰ電話機の斜視図
【符号の説明】
【００６２】
１      電話機本体
４      台座
５      モジュラージャック
６      通信ケーブル
８      固定部材
８ａ    側面壁
８ｂ    上面壁
８ｄ    前面壁
８ｅ    ケーブル固定部
８ｆ    ケーブル固定部
８ｇ    幅広挟着部
８ｈ    幅狭挟着部
８ｍ    取り付け爪（固定手段）
８ｑ    切り欠き部
【図１】
2005236869.tif 000003
【図２】
2005236869.tif 000004
【図３】
2005236869.tif 000005
【図４】
2005236869.tif 000006
【図５】
2005236869.tif 000007
【図６】
2005236869.tif 000008